(57)【特許請求の範囲】
【請求項１】
底面が開口した外箱と、該外箱の底面を通して昇降自在に設けられた収納庫と、該収納庫を昇降させるための電磁的駆動源とを備えた電動昇降式収納庫ユニットにおいて、前記収納庫の底面に、前記外箱の底面を閉鎖可能な大きさの化粧板を前後左右上下方向に移動可能で、且つ、上方へ付勢された状態で設けると共に、前記外箱の底面に形成された開口部の周縁に、前記化粧板を前記外箱の開口部に向かって案内するガイド部材を装着してあることを特徴とする電動昇降式収納庫ユニット。
【請求項２】
前記収納庫の側面に、前記外箱の下方へ脱出した時に前記化粧板の外周より外方へ張り出す緩衝体を設けてあることを特徴とする請求項１に記載の電動昇降式収納庫ユニット。
【請求項３】
前記収納庫の対向する２つの側面とこれら側面に連続する上面端部を開口して出し入れ口とし、該出し入れ口に開閉可能な扉を設けてあることを特徴とする請求項１又は２に記載の電動昇降式収納庫ユニット。
【発明の詳細な説明】
【技術分野】
【０００１】
本発明は、キッチン、廊下等に設置され、外箱に対して上下方向に昇降自在に設けられた収納庫と、収納庫を昇降動作させるための電磁的駆動源とを備えた電動昇降式収納庫ユニットに関する。
【背景技術】
【０００２】
家庭のキッチン、廊下等において、天井板の上方に設置された外箱に対して昇降自在に収納庫が設けられ、モータ等の電磁的駆動源で収納庫を昇降動作させるようにした電動昇降式の収納庫ユニットが知られている。
しかし、このような収納庫ユニットは、収納庫を上限位置まで上昇させて外箱内に収納した時、収納庫の底面が傾斜したり、収納庫と天井板との間に広い隙間ができることがあり、見映えが悪かった。
【０００３】
そこで、従来、天井裏のスペースへ設置されたケースと、電動の昇降装置によりケース内へ引き込まれる物入れ箱とを備え、物入れ箱がケースへ引き込まれた際、物入れ箱の底板が天井面と同一面となり、ケースの下面が閉鎖されるよう、ケースにストッパを設けた自動昇降機能つき天井物入れ箱が提案されている（特許文献１参照）。
ところが、上記従来の天井物入れ箱では、偏荷重等により物入れ箱そのものが傾いた状態でケース内に引き込まれると、底板が水平にはならず、天井と物入れ箱の間に隙間があいてしまう虞もあった。
【先行技術文献】
【特許文献】
【０００４】
【特許文献１】特開２００７−３０９０６５号公報
【発明の概要】
【発明が解決しようとする課題】
【０００５】
本発明が解決しようとする課題は、収納庫を上昇させて外箱内に収納した時に、収納庫の下面を水平にできると共に、収納庫の周囲に形成される隙間を均一にできて体裁がよい電動昇降式収納庫ユニットを提供することにある。
【課題を解決するための手段】
【０００６】
本発明の電動昇降式収納庫ユニットは、底面が開口した外箱と、該外箱の底面を通して昇降自在に設けられた収納庫と、該収納庫を昇降させるための電磁的駆動源とを備え、前記収納庫の底面に、前記外箱の底面を閉鎖可能な大きさの化粧板を前後左右上下方向に移動可能で、且つ、上方へ付勢された状態で設けると共に、前記外箱の底面に形成された開口部の周縁に、前記収納庫を前記外箱の開口部へ向かって案内するガイド部材を装着してある。
前記収納庫の側面に、前記外箱の下方へ脱出した時に前記化粧板の外周より外方へ張り出す緩衝体を設けると良い。
前記収納庫の対向する２つの側面とこれら側面に連続する上面端部を開口して出し入れ口とし、該出し入れ口に開閉可能な扉を設けても良い。
【発明の効果】
【０００７】
請求項１に係る発明によれば、収納庫が外箱の内部に進入する際に、収納庫の底面に取り付けられた化粧板が、ガイド部材により前後左右上下方向に移動しながら外箱の開口部を塞ぐ位置へ案内され、ガイド部材に密着するので、収納庫が傾いた状態で外箱内に収納されても、化粧板は水平状態を保ち、化粧板の周囲に形成される隙間も均一となり、下から見上げた時に体裁がよい。
請求項２に係る発明によれば、廊下等の狭い場所に設置した場合にも、収納庫が昇降する際に、緩衝体が壁面に当接するので、化粧板が壁面を擦って傷つけることが無い。
請求項３に係る発明によれば、廊下等の狭い場所に設置した場合にも、収納庫の両側面に開口した広い出し入れ口を通して、収納庫の奥深い位置まで簡単に物品を出し入れすることができ、しかも、扉を閉じておくことにより、昇降中に物品が落下する心配も無い。
【図面の簡単な説明】
【０００８】
【図１】本発明の実施例を示す電動昇降式収納庫ユニットの正面から見た断面図である。
【図２】本発明の実施例を示す電動昇降式収納庫ユニットの側面から見た断面図である。
【図３】本発明の実施例に係る収納庫の側面から見た断面図である。
【図４】本発明の実施例に係る屈曲板の斜視図である。
【図５】図２のＡ−Ａ断面図である。
【図６】本発明の実施例を示す電動昇降式収納庫ユニットの収納庫格納時における要部断面図である。
【図７】図２のＢ−Ｂ断面図である。
【図８】収納庫格納時における弾性ローラの状態を示す要部断面図である。
【発明を実施するための形態】
【０００９】
以下、本発明の実施例を図面に基づいて詳細に説明する。なお、以下の説明では、便宜上、図１の左右方向をそのまま左右方向、図２の左右方向を前後方向としている。
本発明の電動昇降式収納庫ユニットは、図１及び図２に示すように、底面が開口した外箱１と、外箱１の底面を通して昇降自在に設けられた収納庫２と、収納庫２を外箱１から吊り下げる牽引帯３と、収納庫２を昇降させるためのモータ４よりなる電磁的駆動源とを備える。
【００１０】
外箱１は天井板５の上方に設置され、天井板５には外箱１の底面と対応し、外箱１の底面よりもやや大きい孔５ａが形成されている。また、外箱１の底面にはほぼ全面に亘って開口部６が形成されている。
外箱１内部の上部一側には、モータ４が設置される。そして、モータ４を正逆回転させることにより牽引帯３の巻き取り及び巻き戻しが行なわれ、収納庫２が、外箱１の開口部６及び天井板５の孔５ａを通して、外箱１に格納された上限位置と外箱１の下方の物品取り出し位置（下限位置）との間を昇降するようになっている。
さらに、外箱１の開口部６の周囲には、天井板５の孔５ａの周縁に係合されるガイド部材７が装着されている。
天井板５の孔５ａは外箱１の底面より一回り大きいので、ガイド部材７は、上方に向かって次第に径小となるよう傾斜している。
【００１１】
収納庫２は、前後の側面及び上面が開口した箱形をなし、図３に示すように、前後の側面及び上面を覆う別体の屈曲板８が設けられる。
屈曲板８は、軽量なプラスチックダンボール等で形成され、図３及び図４に示すように、上面を前後方向に３等分する位置及び上面と前後側面との交差部に、それぞれ左右方向に沿う折り線９が熱曲げ加工等により形成されている。
また、屈曲板８の前後方向中央部（中央寄りの折り線９の間）の両側縁は、収納庫２の左右側面の上端部に固定されている。
【００１２】
従って、収納庫２の対向する前後の側面とこれら側面に連続する上面端部が開口して出し入れ口１０とされ、屈曲板８の前後部が出し入れ口１０を閉鎖する扉１１となっている。そして、図３の破線で示すように、屈曲板８を折り線９から折り曲げて、扉１１を押し上げることにより、出し入れ口１０を開放することができる。
これにより、この電動昇降式収納庫ユニットを廊下等の幅が狭い場所に設置しても、収納庫２の前後の側面を廊下等の長手方向に向けることにより、大きく開放された出し入れ口１０を通して収納庫２へ容易に物品を出し入れすることができる。また、前後の出し入れ口１０からそれぞれ物品を出し入れできるので、前後に長い収納庫２であっても中央部分に簡単に物品を出し入れすることが可能である。
【００１３】
収納庫２の底面には、図１、図２及び図５に示すように、天井板５の孔５ａよりやや小さくて、収納庫２の底面よりやや大きく、外箱１の底面を閉鎖可能な大きさの化粧板１２を設けてある。
また、化粧板１２の周縁に沿って枠１３が装着され、枠１３の前後端部の左右両側にはピン１４が立設されている。さらに、ピン１４の上端部には径大の抜け止め板１５が固定されている。
【００１４】
収納庫２の左右側面の前後端部には、ピン１４に向かって延びる張り出し片１６が設けられ、張り出し片１６にピン１４が上下方向に摺動自在に挿通されている。張り出し片１６に形成されたピン１４を挿通するための挿通孔は、ピン１４の直径より大きく、且つ、抜け止め板１５の直径よりも小さいため、ピン１４が抜けることは無いが、ピン１４は張り出し片１６に対して前後左右方向に移動できるようになっている。
また、張り出し片１６と抜け止め板１５との間において、ピン１４の外周にコイルバネ１７が嵌合され、このコイルバネ１７がピン１４を上方に付勢している。
従って、ピン１４が立設された化粧板１２は、収納庫２の底面に対して前後左右上下方向に移動可能に取り付けられると共に、上方に付勢されている。
【００１５】
上昇した収納庫２が外箱１内に格納されるとき、収納庫２の底面よりも大きい化粧板１２はガイド部材７にぶつかってその傾斜した内面に案内され、上昇に伴って外箱１の開口部６に接近する。
化粧板１２は、前後左右上下方向に移動可能で、且つ、上方へ付勢されているので、ガイド部材７に密着して上昇しながら前後左右に移動し、図６に示すように、収納庫２が格納された時、化粧板１２はガイド部材７の内側に水平な状態ではめ込まれて、外箱１の開口部６を閉鎖する。
このため、外箱１内に収納された収納庫２が多少傾いていても、下から見える化粧板１２は水平となり、且つ、天井板５の孔５ａと化粧板１２の周縁との間に形成される隙間の幅も均一となり、体裁がよい。
【００１６】
収納庫２の左右側面の前後端部には、図７に示すように、収納庫２の側面から化粧板１２の側縁までの距離よりもやや長いアーム１８が、収納庫２の側面に沿って固定された水平軸１９を中心として回動可能に取り付けられる。
また、アーム１８はバネ２０により収納庫２の側方へ張り出すよう付勢され、アーム１８の先端に弾性ローラ２１より成る緩衝体が回動自在に装着されている。
そして、図８に示すように、収納庫２を外箱１内に格納しているときは、弾性ローラ２１がガイド部材７に当たってアーム１８が下方へ折り畳まれているが、弾性ローラ２１が外箱１の下方へ脱出すると、バネ２０に付勢されたアーム１８が起き上がり、弾性ローラ２１は化粧板１２よりも外方へ張り出すようになっている。
【００１７】
従って、収納庫２が外箱１に格納されている時は、弾性ローラ２１は折り畳まれて邪魔にならず、収納庫２が外箱１の下方において昇降する時は、弾性ローラ２１が化粧板１２よりも突出する。
このため、この電動昇降式収納庫ユニットを廊下等の幅が狭い場所に設置しても、弾性ローラ１２が廊下等の壁面に当たって昇降し、収納庫２の底面より大きい化粧板１２が壁面を擦って傷つける心配が無い。
【００１８】
なお、図に示す例では、化粧板１２を上方へ付勢するのにコイルバネ１７を用いたが、空気式或いは液体式のダンパーとしても良い。
また、収納庫２の出し入れ口１０を開閉する扉として、上下に開閉するシャッタータイプのものを用いることもできる。
【符号の説明】
【００１９】
１  外箱
２  収納庫
３  牽引帯
４  モータ（電磁的駆動源）
５  天井板
５ａ  孔
６  開口部
７  ガイド部材
８  屈曲板
９  折り線
１０  出し入れ口
１１  扉
１２  化粧板
１３  枠
１４  ピン
１５  抜け止め板
１６  張り出し片
１７  コイルバネ
１８  アーム
１９  水平軸
２０  バネ
２１  弾性ローラ（緩衝体）
【図１】
0005612866.tif 000002
【図２】
0005612866.tif 000003
【図３】
0005612866.tif 000004
【図４】
0005612866.tif 000005
【図５】
0005612866.tif 000006
【図６】
0005612866.tif 000007
【図７】
0005612866.tif 000008
【図８】
0005612866.tif 000009